(57)【特許請求の範囲】
【請求項１】
多数の竿縁が設けられた天井と床面との間に突っ張り状態で立設される支柱ユニットであって、
前記床面上に設置されるベースと、このベース上に立設される支柱と、この支柱の上端に取り付けられる天井当接部と、を備え、
前記天井当接部には、前記竿縁のうちの隣り合う２本の竿縁の各外側および各内側の少なくとも片方に位置し、かつ当該天井当接部が前記竿縁と交差する向きの力を受けたときに前記隣り合う２本の竿縁のうちのいずれか一方の竿縁の外縁および内縁の少なくとも片方と当接するストッパが設けられている、ことを特徴とする支柱ユニット。
【請求項２】
請求項１に記載の支柱ユニットにおいて、
前記天井当接部の上面は、帯状とされかつその長手方向寸法が前記多数の竿縁のうちの隣り合う２本の竿縁に跨って交差するような長さに設定され、
前記各ストッパは、前記天井当接部の長手方向両端の短辺全長に上向きに突出するように一体に設けられる凸部とされる、ことを特徴とする支柱ユニット。
【請求項３】
多数の竿縁が設けられた天井と床面との間に突っ張り状態で立設される支柱ユニットであって、
前記床面上に設置されるベースと、このベース上に立設される支柱と、この支柱の上端に取り付けられる天井当接部と、この天井当接部の上面に着脱可能に装着される竿縁アダプタと、を備え、
前記竿縁アダプタには、前記竿縁のうちの隣り合う２本の竿縁の各外側および各内側の少なくとも片方に位置し、かつ当該天井当接部が前記竿縁と交差する向きの力を受けたときに前記隣り合う２本の竿縁のうちのいずれか一方の竿縁の外縁および内縁の少なくとも片方と当接するストッパが設けられている、ことを特徴とする支柱ユニット。
【請求項４】
請求項３に記載の支柱ユニットにおいて、
前記竿縁アダプタは、帯板状とされかつその長手方向寸法が前記多数の竿縁のうちの隣り合う２本の竿縁に跨って交差するような長さに設定され、
前記各ストッパは、前記竿縁アダプタの長手方向両端の短辺全長に上向きに突出するように一体に設けられる凸部とされる、ことを特徴とする支柱ユニット。
【請求項５】
請求項１から４のいずれか１項に記載の支柱ユニットにおいて、
前記各ストッパの互いに対向する内側面は、その長手方向中央が相手側へ向けて張り出すような凸状曲面とされる、ことを特徴とする支柱ユニット。
【請求項６】
請求項１から５のいずれか１項に記載の支柱ユニットにおいて、
前記支柱は、その長手方向途中に全長を長短調整可能とする操作機構を備えている、ことを特徴とする支柱ユニット。
【発明の詳細な説明】
【技術分野】
【０００１】
本発明は、竿縁が設けられた天井と床面との間に突っ張るように設置される支柱ユニットに関する。
【背景技術】
【０００２】
高齢者や要介護支援者らが日常生活において屋内で歩行する際の補助具として、天井と床面との間に後付けされる突っ張り支柱がある。
【０００３】
この突っ張り支柱は、例えば特許文献１に示されるように、床面に設置されるベースと、ベース上に立設される支柱と、支柱の上端に取り付けられて天井に当接される天井当接部とを含む構成であり、天井当接部はその上面が細長い小判形状でかつ平坦に形成されている。
【先行技術文献】
【特許文献】
【０００４】
【特許文献１】特開２００８-６３７６０号公報
【発明の概要】
【発明が解決しようとする課題】
【０００５】
上記特許文献１に示すような、天井当接部の上面が細長い小判形状である突っ張り支柱にあっては、洋室の天井のように天井面が平坦であれば天井面に前記天井当接部の上面をその全領域に亘って当接させることができるので設置するうえで支障はないが、和室の天井のように多数本の竿縁が天井面に設置されている場合には、隣り合う竿縁間の天井板が薄く強度がないために、天井板を避けて前記天井当接部の上面を竿縁の下端面に当接させる必要がある。すなわち、支柱ユニットの天井当接部を竿縁と交差する姿勢にした状態で隣り合う２本の竿縁の両下端面に当接させる必要がある。
【０００６】
ところが、従来の支柱ユニットを上記したような形態で竿縁の有る天井に設置した場合、例えば使用者が支柱にもたれかかったり、あるいは支柱を掴んで強く押したり引いたりするなどして支柱を介して天井当接部に竿縁と交差する向きの力が加わると、天井当接部１００の上面に占める竿縁２０１との接触面積が小さいことから、図４０において二点鎖線で示すように、天井当接部１００が比較的簡単にずれ動いて（図中、矢符Ｓ参照）、押された方向の後側の端部（図中、左側の端部）１００ａが２本のうちの一方の竿縁２０１の下端面から外れてしまい、その外れた端部１００ａが竿縁２０１，２０１間の天井板２０２に強く当たり、その結果天井板２０２を破損する虞があった。
【０００７】
この点に関して、天井当接部の長手方向の全長寸法を、隣り合う３本の竿縁の下端面に跨って交差すように可及的に大きくすれば、天井当接部が上記のように多少ずれ動いたとしても、天井当接部は少なくとも隣り合う２本の竿縁の下端面と当接した状態となるので、上記したような天井板の破損を防ぐことができる。しかしながら、その場合、天井当接部の全長寸法が長くなり過ぎるために、製造コストならびに重量が嵩むことが懸念される。また、竿縁と直交する壁面に近づけて支柱ユニットを設置する場合に問題はないものの、竿縁と平行する壁面に近づけて支柱ユニットを設置する場合には天井当接部の長さがあだになり支柱ユニットが部屋の内側に出張ってしまうため、使い勝手が悪いといった問題がある。すなわち、天井当接部が３本もの竿縁に亘る長さを有していることから、天井当接部の端部と支柱との間の距離が長いため、天井当接部の一端部を壁面と接するように支柱ユニットを設置しても、壁面と支柱との間隔は天井当接部の端部と支柱との間の距離より短くはならず、その分支柱が壁面からかなり離れてしまう結果、支柱ユニットが部屋の内側に出張ってしまうことになる。
【０００８】
このような事情に鑑み、本発明は、竿縁が設けられた天井と床面との間に突っ張るように設置される支柱ユニットにおいて、天井当接部が竿縁からずれ動かないように強固に設置可能にすることを目的としている。
【課題を解決するための手段】
【０００９】
本発明は、多数の竿縁が設けられた天井と床面との間に突っ張り状態で立設される支柱ユニットであって、前記床面上に設置されるベースと、このベース上に立設される支柱と、この支柱の上端に取り付けられる天井当接部と、を備え、前記天井当接部には、前記竿縁のうちの隣り合う２本の竿縁の各外側および各内側の少なくとも片方に位置し、かつ当該天井当接部が前記竿縁と交差する向きの力を受けたときに前記隣り合う２本の竿縁のうちのいずれか一方の竿縁の外縁および内縁の少なくとも片方と当接するストッパが設けられている、ことを特徴としている。
【００１０】
ここで、本発明のストッパについては、隣り合う２つの竿縁の各外側に配置される外ストッパと、隣り合う２つの竿縁の各内側に配置される内ストッパとの少なくともいずれか一方のことである。
【００１１】
この構成では、前記天井当接部を前記竿縁が設けられた天井の隣り合う２本の竿縁に跨って交差するような姿勢でかつ前記天井当接部の上面を前記隣り合う２本の竿縁の下端面とそれぞれ当接させたときに、前記各ストッパを前記隣り合う２本の竿縁の各外縁および各内縁の少なくとも片方に外側および内側の少なくとも片方から当接（または近接）する状態で配置させるようにする。
【００１２】
この場合、例えば使用者が支柱にもたれかかったり、あるいは支柱を掴んで強く押したり引いたりするなどして支柱を介して天井当接部に竿縁と交差する向きの力が加えられたときに、前記いずれか一方のストッパが前記隣り合う２本の竿縁のうちのいずれか一方の外縁および内縁の少なくとも片方に当接して前記力を受け止めることになる。
【００１３】
これにより、前記天井当接部が前記隣り合う２本の竿縁の下端面からずれ動くことが防止される。その結果、図４０に示したように、天井当接部の一端部が隣り合う２本の竿縁それぞれの間の天井板に衝突して天井板を破損するといった虞がなくなる。
【００１４】
また、前記天井当接部が、前記力の向きと反対向きの力を受けたときには、前記いずれか他方のストッパが前記隣り合う２本の竿縁のうちのいずれか他方の外縁および内縁の少なくとも片方に当接して前記力を受け止めることになる。これにより、前記天井当接部が前記隣り合う２本の竿縁の下端面からずれ動くことが防止されるようになる。
【００１５】
ところで、前記天井当接部の上面は、帯状とされかつその長手方向寸法が前記多数の竿縁のうちの隣り合う２本の竿縁に跨って交差するような長さに設定され、前記各ストッパは、前記天井当接部の長手方向両端の短辺全長に上向きに突出するように一体に設けられた凸部とされる、ことが好ましい。
【００１６】
ここでは、天井当接部の上面の形状を特定しているとともに、前記２つのストッパの形状および設置場所を特定している。
【００１７】
特に、前記帯状の天井当接部の長手方向寸法が、隣り合う２本の竿縁に跨って交差するような長さに設定されているから、従来例で説明したように、隣り合う３つの竿縁に跨って交差するような長さに設定する場合に比べると、前記天井当接部の製造コストならびに重量を軽減することが可能になる。また、竿縁と平行する壁面に近づけて支柱ユニットを設置する場合でも、支柱ユニットが部屋の内側に大きく出張ってしまうことがないため、使い勝手の点でも優れている。さらに、前記ストッパの形状がシンプルな凸部とされているから、それを比較的簡単かつ安価に形成することが可能になる。これにより、前記天井当接部を、その長手方向寸法を過剰に大きくしなくても竿縁天井に強固に設置することが可能になる。
【００１８】
また、本発明は、多数の竿縁が設けられた天井と床面との間に突っ張り状態で立設される支柱ユニットであって、前記床面上に設置されるベースと、このベース上に立設される支柱と、この支柱の上端に取り付けられる天井当接部と、この天井当接部の上面に着脱可能に装着される竿縁アダプタと、を備え、前記竿縁アダプタには、前記竿縁のうちの隣り合う２本の竿縁の各外側および各内側の少なくとも片方に位置し、かつ当該天井当接部が前記竿縁と交差する向きの力を受けたときに前記隣り合う２本の竿縁のうちのいずれか一方の竿縁の外縁および内縁の少なくとも片方と当接するストッパが設けられている、ことを特徴としている。
【００１９】
この構成では、前記竿縁アダプタが取り付けられた天井当接部を前記竿縁が設けられた天井の隣り合う２本の竿縁に跨って交差するような姿勢でかつ前記天井当接部に取り付けた竿縁アダプタの上面を前記隣り合う２本の竿縁の下端面にそれぞれ当接させたときに、前記各ストッパを前記隣り合う２本の竿縁の各外縁および各内縁の少なくとも片方に外側および内側の少なくとも片方から当接（または近接）する状態で配置させるようにする。
【００２０】
この場合、例えば使用者が支柱にもたれかかったり、あるいは支柱を掴んで強く押したり引いたりするなどして支柱を介して天井当接部に竿縁と交差する向きの力を受けたときに、前記竿縁アダプタのストッパが前記隣り合う２本の竿縁のうちのいずれか一方の外縁および内縁の少なくとも片方に当接して前記力を受け止めることになる。
【００２１】
これにより、前記竿縁アダプタおよび天井当接部が前記隣り合う２本の竿縁の下端面からずれ動くことが防止されるようになる。その結果、図４０に示したように、天井当接部の一端部が隣り合う２本の竿縁それぞれの間の天井板に衝突して天井板を破損するといった虞がなくなる。
【００２２】
また、前記竿縁アダプタおよび前記天井当接部が、前記力の向きと反対向きの力を受けたときには、前記いずれか他方のストッパが前記隣り合う２本の竿縁のうちのいずれか他方の外縁および内縁の少なくとも片方に当接して前記力を受け止めることになる。これにより、前記竿縁アダプタおよび前記天井当接部が前記隣り合う２本の竿縁の下端面からずれ動くことが防止されるようになる。
【００２３】
ところで、前記竿縁アダプタは、帯板状とされかつその長手方向寸法が前記多数の竿縁のうちの隣り合う２本の竿縁に跨って交差するような長さに設定され、前記各ストッパは、前記竿縁アダプタの長手方向両端の短辺全長に上向きに突出するように一体に設けられる凸部とされる、ことが好ましい。
【００２４】
ここでは、竿縁アダプタの外形形状を特定しているとともに、前記各ストッパの形状および設置場所を特定している。
【００２５】
特に、前記帯状の天井当接部の長手方向寸法が、隣り合う２本の竿縁に跨って交差するような長さに設定されているから、従来例で説明したように、隣り合う３つの竿縁に跨って交差するような長さに設定する場合に比べると、前記天井当接部の製造コストならびに重量を軽減することが可能になる。また、前記ストッパの形状がシンプルな凸部とされているから、それを比較的簡単かつ安価に形成することが可能になる。これにより、前記天井当接部を、その長手方向寸法を過剰に大きくしなくても竿縁天井に強固に設置することが可能になる。
【００２６】
また、前記竿縁アダプタを前記天井当接部に取り付けている場合には竿縁天井への設置が可能になり、また、竿縁アダプタを天井当接部から取り外せば平坦な天井に設置することが可能になる。
【００２７】
また、前記各ストッパの互いに対向する内側面は、その長手方向中央が相手側へ向けて張り出すような凸状曲面とされる、ことが好ましい。
【００２８】
ところで、竿縁天井については、一般に、隣り合う２本の竿縁の各外縁間寸法が大きいタイプ（以下、幅広な竿縁天井と言う）と小さいタイプ（以下、幅狭な竿縁天井と言う）とがある。
【００２９】
ここで、本発明のストッパについては、隣り合う２つの竿縁の各外側に配置される外ストッパと、隣り合う２つの竿縁の各内側に配置される内ストッパとの少なくともいずれか一方のことである。
【００３０】
まず、前記各ストッパを外ストッパとし、かつ当該各外ストッパの互いに対向する内側面を凸状曲面とする場合には、一方の外ストッパの内側面の最大出っ張り位置（長手方向中央）と他方の外ストッパの内側面の最大出っ張り位置（長手方向中央）との対向間隔（最短対向間隔）について、前記幅広な竿縁天井での隣り合う２つの竿縁の各外縁間寸法と同一寸法、あるいは当該各外縁間寸法よりも若干だけ大きく設定すれば、例えば図９および図１０に示すように、前記幅広な竿縁天井と前記幅狭な竿縁天井のどちらであっても対応することが可能になる。
【００３１】
一方、前記各ストッパを内ストッパとし、かつ当該各内ストッパの互いに対向する内側面を凸状曲面とする場合には、一方の内ストッパの外側面と他方の内ストッパの外側面との対向間隔（最長対向間隔）について、前記幅広な竿縁天井での隣り合う２本の竿縁の各内縁間寸法と同一寸法、あるいは当該各内縁間寸法よりも小さく設定し、かつ、一方の内ストッパの内側面の最大出っ張り位置（長手方向中央）と他方の内ストッパの内側面の最大出っ張り位置（長手方向中央）との対向間隔（最短対向間隔）について、前記幅狭な竿縁天井での隣り合う２本の竿縁の各外縁間寸法よりも大きく設定すれば、例えば図２２および図２３に示すように、前記幅広な竿縁天井と前記幅狭な竿縁天井のどちらのタイプであっても対応することが可能になる。
【００３２】
さらに、前記支柱は、その長手方向途中に全長を長短調整可能とする操作機構を備えている、ことが好ましい。
【００３３】
この構成では、前記竿縁天井と前記床面との対向間隔の大小変化に対応することが可能になるから、前記支柱ユニットの設置場所が制限されなくなる。また、前記竿縁天井と前記床面の間の突っ張り度合を調整することが可能になるから、前記支柱ユニットを強固に固定するうえで有利になる。
【発明の効果】
【００３４】
本発明に係る支柱ユニットは、天井当接部が竿縁天井の竿縁からずれ動かないように強固に設置することが可能になる。
【図面の簡単な説明】
【００３５】
【図１】本発明に係る支柱ユニットの第１実施形態で、その全体の外観を示す側面図である。
【図２】図１の支柱ユニットを分解した状態を示す側面図である。
【図３】図１の支柱ユニットの天井当接部から竿縁アダプタを取り外した状態で、竿縁アダプタを上から見下ろした状態を示す斜視図である。
【図４】図１の支柱ユニットの天井当接部から竿縁アダプタを取り外した状態で、竿縁アダプタを下から見上げた状態を示す斜視図である。
【図５】図１の矢印（５）方向から見た図である。
【図６】図５の（６）−（６）線断面の矢視図である。
【図７】図１の支柱ユニットの天井当接部を竿縁アダプタを介して竿縁天井に当接させた状態を示す斜視図である。
【図８】図１において竿縁アダプタを取り外した天井当接部を竿縁無しの平坦天井に当接させた状態を示す側面図である。
【図９】第１実施形態の竿縁アダプタを幅広な竿縁天井に使用した状態を天井側から見下ろして示す図である。
【図１０】第１実施形態の竿縁アダプタを幅狭な竿縁天井に使用した状態を天井側から見下ろして示す図である。
【図１１】第１実施形態の竿縁アダプタの第１、第２外ストッパの内側面を凸状曲面にした場合の優位性を説明するための図であって、図９および図１０に対応する図である。
【図１２】本発明に係る支柱ユニットの第２実施形態で、その全体の外観を示す側面図である。
【図１３】図１２の支柱ユニットを分解した状態を示す側面図である。
【図１４】図１２の支柱ユニットの天井当接部を上から見下ろした状態を示す斜視図である。
【図１５】図１２の矢印（１５）方向から見た図である。
【図１６】図１５の（１６）−（１６）線断面の矢視図である。
【図１７】図１２の天井当接部を竿縁天井に当接させた状態を示す斜視図である。
【図１８】本発明に係る支柱ユニットの第３実施形態で、図１に対応する側面図である。
【図１９】本発明に係る支柱ユニットの第４実施形態で、図１２に対応する側面図である。
【図２０】本発明に係る支柱ユニットの第５実施形態で、図６に対応する断面図である。
【図２１】本発明に係る支柱ユニットの第６実施形態で、図１６に対応する断面図である。
【図２２】第５実施形態の竿縁アダプタを幅広な竿縁天井に使用した状態を天井側から見下ろして示す図である。
【図２３】第５実施形態の竿縁アダプタを幅狭な竿縁天井に使用した状態を天井側から見下ろして示す図である。
【図２４】本発明に係る支柱ユニットの第７実施形態で、図６に対応する断面図である。
【図２５】本発明に係る支柱ユニットの第８実施形態で、図１６に対応する断面図である。
【図２６】第７実施形態の竿縁アダプタを幅広な竿縁天井に使用した状態を天井側から見下ろして示す図である。
【図２７】第７実施形態の竿縁アダプタを幅狭な竿縁天井に使用した状態を天井側から見下ろして示す図である。
【図２８】本発明に係る支柱ユニットの第９実施形態で、図６に対応する断面図である。
【図２９】本発明に係る支柱ユニットの第１０実施形態で、図１６に対応する断面図である。
【図３０】第９実施形態の竿縁アダプタを幅広な竿縁天井に使用した状態を天井側から見下ろして示す図である。
【図３１】第９実施形態の竿縁アダプタを幅狭な竿縁天井に使用した状態を天井側から見下ろして示す図である。
【図３２】本発明に係る支柱ユニットの第１１実施形態で、図６に対応する断面図である。
【図３３】本発明に係る支柱ユニットの第１２実施形態で、図１６に対応する断面図である。
【図３４】第１１実施形態の竿縁アダプタを幅広な竿縁天井に使用した状態を天井側から見下ろして示す図である。
【図３５】第１１実施形態の竿縁アダプタを幅狭な竿縁天井に使用した状態を天井側から見下ろして示す図である。
【図３６】本発明に係る支柱ユニットの第１３実施形態で、図６に対応する断面図である。
【図３７】本発明に係る支柱ユニットの第１４実施形態で、図１６に対応する断面図である。
【図３８】第１３実施形態の竿縁アダプタを幅広な竿縁天井に使用した状態を天井側から見下ろして示す図である。
【図３９】第１３実施形態の竿縁アダプタを幅狭な竿縁天井に使用した状態を天井側から見下ろして示す図である。
【図４０】従来例の突っ張り支柱の不具合を説明するために用いる図である。
【発明を実施するための形態】
【００３６】
以下、本発明を実施するための最良の実施形態について添付図面を参照して詳細に説明する。
【００３７】
図１から図１１に、本発明の一実施形態を示している。図中、１は支柱ユニットの全体を示している。
【００３８】
支柱ユニット１は、ベース２、支柱３、天井当接部４、竿縁アダプタ５などを備えている。
【００３９】
ベース２は、床面上に設置されるものであって、矩形状の板とされている。ベース２は、耐荷重性ならびに耐蝕性に優れた金属、例えばステンレス鋼、あるいは鋼板に亜鉛（Ｚｎ）−アルミニウム（Ａｌ）−マグネシウム（Ｍｇ）合金をコーティング（めっき、スパッタリングなど）したものとすることができる。なお、ベース２の４つの角部を丸く形成して、ベース２の外周縁にゴムなどのクッション（図示省略）を装着することも可能である。また、ベース２は、例えば合成樹脂製の円盤状のものであってもよい。
【００４０】
このベース２の中央寄りの所定位置には、支柱受け筒２ａが設けられている。この支柱受け筒２ａは、ベース２と別体に形成して、ベース２に適宜の方法（例えばねじ留めあるいは溶接など）で上向きに立てた状態に取り付けることが可能であるが、ベース２と一体に形成することも可能である。例えば、ベース２及び支柱受け筒２ａの両方を合成樹脂製として、それらベース２と支柱受け筒２ａとを一体成形してもよい。
【００４１】
支柱３は、ベース２に立設されるものであって、下側大筒部３ａの上端部に上側小筒部３ｂの下端部を挿入した構成である。下側大筒部３ａの下端部がベース２の支柱受け筒２ａに挿入され、また、上側小筒部３ｂの上端部が下記する天井当接部４の３つの支柱挿入孔４ａのうちのいずれか１つに挿入される。
【００４２】
なお、下側大筒部３ａおよび上側小筒部３ｂは、例えばアルミニウムまたはアルミニウム合金製のパイプを半硬質樹脂などで被覆したものとすることができる他、ステンレス鋼などの金属あるいはエンジニアリングプラスチックなどの高強度合成樹脂を素材としたものとすることができる。
【００４３】
天井当接部４は、支柱３の上端に取り付けられて天井に当接されるものである。この天井当接部４の上面は、小判形状つまり帯状で長手方向両端が半円形状になっており、この上面の外形が下側へ向けて徐々に縮小するような形状に形成されている。
【００４４】
そして、天井当接部４は、適宜の合成樹脂などで形成され、その長手方向の数ヶ所（例えば３ヶ所）には、支柱３の上側小筒部３ｂの上端を取り外し可能に挿入するための支柱挿入孔４ａが設けられている。
【００４５】
この支柱挿入孔４ａは、上側が閉塞されていて下側が開放されており、その断面形状は例えば六角形に形成されている。それに対応して上側小筒部３ｂの上端部の断面形状も六角形に形成されている。このように断面形状を六角形にしているのは、支柱３の上側小筒部３ｂと天井当接部４の支柱挿入孔４ａとが相対的に回ることを防止するためである。
【００４６】
さらに、支柱３の下側大筒部３ａの上端部には、操作機構６が設けられている。この操作機構６は、支柱３を伸縮可能にして全長寸法を調整するために設けられている。
【００４７】
詳しくは、操作機構６は、下側大筒部３ａの上端部に上側小筒部３ｂの下端部を挿入した状態で不動にするロック状態と、下側大筒部３ａに対する上側小筒部３ｂの挿入深さを変更可能とするアンロック状態とに切り替えるものであって、その詳細な構成は例えば特開２０１４−０５１８５８号公報に記載されているものと同様であるので、ここでの詳細な説明は割愛する。
【００４８】
この操作機構６の場合、図１に示すように、レバー６ａを下側大筒部３ａに寄り添わせる姿勢に倒すような操作をすると前記ロック状態にすることができる一方、図２に示すように、レバー６ａを下側大筒部３ａから水平姿勢に引き起こすような操作をすると前記アンロック状態にすることができる。
【００４９】
ここで、支柱ユニット１を組み立てる方法の一例を簡単に説明する。まず、支柱３の下側大筒部３ａの下端部分をベース２の支柱受け筒２ａに挿入する。そして、支柱３の下側大筒部３ａに支柱３の上側小筒部３ｂを挿入して、この上側小筒部３ｂの上端部分に天井当接部４を装着する。
【００５０】
竿縁アダプタ５は、支柱ユニット１を図１に示すように竿縁１１が設けられた天井１０（以下、竿縁天井とする）と床面２０との間に設置するときに利用するためのものであって、天井当接部４の上面に取り外し可能に取り付けられる。
【００５１】
つまり、この竿縁アダプタ５は、支柱ユニット１を図８に示すような竿縁無しの平坦な天井３０（打ち上げ天井とも言うが、以下、平坦天井とする）と床面２０との間に設置するときには天井当接部４の上面から取り外される。
【００５２】
そもそも、一般に、洋室の天井は平坦面になっているタイプがほとんどであるが、和室の天井は多数の竿縁１１が設けられることによって凸凹になっているタイプがある。
【００５３】
竿縁１１とは、公知であるが、例えば断面形状が四角形状の木製の棒材からなり、互いに平行に離隔して設置されるものである。そして、隣り合う２本の竿縁１１それぞれの間に天井板１２が配置される。この天井板１２は、例えば薄い木板からなり、竿縁天井１０の裏側で支えられていないので、強度は弱く、特に下方（室内側）からの応力には極めて弱い。
【００５４】
竿縁アダプタ５は、帯板形状に形成されており、その底壁部５ａの上面全領域に格子状のリブ５ｂおよび多数の肉盗み凹部５ｃを設けることにより、軽量化を図りながら所定の強度を確保するように構成されている。
【００５５】
リブ５ｂの上端縁において長手方向中間領域を除く長手方向両端領域には、滑り止め作用を有する緩衝シート５ｄが取り付けられている。これにより、竿縁アダプタ５の長手方向中間領域のリブ５ｂおよび肉盗み凹部５ｃは露呈されているが、竿縁アダプタ５の長手方向両端領域のリブ５ｂおよび肉盗み凹部５ｃは隠蔽されている。緩衝シート５ｄは、詳細に図示しないが、例えばスポンジをベースとしてその片面にゴムなどの緩衝材を接着したような構成とされる。
【００５６】
竿縁アダプタ５の長手方向両端には、第１、第２外ストッパ８，９が一体に設けられている。
【００５７】
詳しくは、第１、第２外ストッパ８，９は、竿縁アダプタ５において長手方向両端部の上部に一体に設けられていて、竿縁天井１０の隣り合う２つの竿縁１１の各外側に配置される。
【００５８】
そして、第１、第２外ストッパ８，９は、竿縁アダプタ５の短手方向の全長範囲に設けられている。第１、第２外ストッパ８，９の外側面は直線形状に形成されているが、内側面は凸状曲面とされている。
【００５９】
前記凸状曲面とは、第１、第２外ストッパ８，９の長手方向中央つまり竿縁アダプタ５の短手方向中央が相手側へ向けて張り出すように凸状に湾曲した面のことであり、好ましくは凸状の部分球面とされている。その曲率半径は、適宜に設定される。
【００６０】
この竿縁アダプタ５の底壁部５ａの下面には、天井当接部４の上面の外形形状に合致嵌合可能な形状の陥没部５ｅが設けられている。この陥没部５ｅ内の所定位置には、下向きに突出する突片５ｆが複数（例えば４つ）設けられている。
【００６１】
この突片５ｆは、平面視ほぼコの字形状とされており、竿縁アダプタ５を天井当接部４に装着するときに、天井当接部４の肉盗み凹部４ｃに嵌め入れられるようになっている。なお、天井当接部４の上面の長手方向中間領域には、格子状のリブ４ｂによって縦横に区画される多数の肉盗み凹部４ｃが設けられている。
【００６２】
つまり、竿縁アダプタ５を天井当接部４に装着するには、天井当接部４の上面に竿縁アダプタ５の底壁部５ａの陥没部５ｅを合致させて嵌合させるとともに、天井当接部４の４つの肉盗み凹部４ｃに竿縁アダプタ５の４つの突片５ｆを嵌め入れるようにすればよい。これにより、天井当接部４に対して竿縁アダプタ５が相対的に動くことが規制されるようになるとともに、非分離になる。このように非分離とするために、天井当接部４の上面に対する竿縁アダプタ５の底壁部５ａの陥没部５ｅの嵌め合い状態をタイトフィット状態にしている。
【００６３】
前記タイトフィット状態を得るために、竿縁アダプタ５の陥没部５ｅ内の対向する２つの長辺内側に、互いに向けて突出する微小張り出し部５ｇが２つずつ設けられている。
【００６４】
このように合計４つの微小張り出し部５ｇを設けることによって、天井当接部４と竿縁アダプタ５とを非分離にしたうえで、天井当接部４の上面に竿縁アダプタ５の底壁部５ａの陥没部５ｅを嵌合させるときや陥没部５ｅから取り外すときに、比較的弱い力で操作することが可能になっている。
【００６５】
ここで、上記竿縁アダプタ５の構成をさらに詳しく説明する。つまり、竿縁アダプタ５を取り付けた天井当接部４は、竿縁天井１０の隣り合う２本の竿縁１１に跨って交差する姿勢にしてその上面（緩衝シート５ｄ）を前記隣り合う２本の竿縁１１の下端面にそれぞれ当接させる状態にしておいて、竿縁アダプタ５の第１、第２外ストッパ８，９を前記隣り合う２本の竿縁１１の各外縁に外側から当接（または近接）する状態で配置させる状態にする。
【００６６】
このような状態を成立させるために、第１外ストッパ８の内側面の最大出っ張り位置（長手方向中央）と第２外ストッパ９の内側面の最大出っ張り位置（長手方向中央）との対向間隔（最短対向間隔）については、下記するように特定する必要がある。
【００６７】
一般に、竿縁天井１０は、隣り合う２本の竿縁１１の各外縁間寸法が例えば５００ｍｍのタイプ（以下、幅広な竿縁天井と言う）と、例えば３００ｍｍのタイプ（以下、幅狭な竿縁天井と言う）とがある。
【００６８】
このことを考慮して、上記最短対向間隔については、前記幅広な竿縁天井１０での隣り合う２つの竿縁１１の各外縁間寸法と同一寸法、あるいは当該各外縁間寸法よりも若干（例えば３ｍｍ〜１０ｍｍ、好ましくは５ｍｍ）だけ大きく設定するようにしている。
【００６９】
このように設定した竿縁アダプタ５であれば、前記幅広な竿縁天井１０であっても前記幅狭な竿縁天井１０であっても関係なく、上記状態を成立させるように対応することが可能になる。
【００７０】
まず、前記幅広な竿縁天井１０の場合、図９に示すように、竿縁アダプタ５を取り付けた天井当接部４の長手方向を竿縁１１の長手方向と直交する方向に沿わせるようにして、竿縁アダプタ５を幅広な竿縁天井１０にあてがうと、竿縁アダプタ５の第１、第２外ストッパ８，９が前記隣り合う２本の竿縁１１の各外縁に外側から当接（または近接）する状態で配置されるようになる。
【００７１】
一方、前記幅狭な竿縁天井１０の場合、図１０に示すように、竿縁アダプタ５を取り付けた天井当接部４の長手方向を竿縁１１の長手方向に対して所定角度傾けて交差させるようにして、竿縁アダプタ５を幅狭な竿縁天井１０にあてがうと、竿縁アダプタ５の第１外ストッパ８の凸状曲面の長手方向一端側が前記隣り合う２本の竿縁１１のうちの一方の竿縁１１の外縁に外側から当接（または近接）するような状態で配置されるようになる一方で、第２外ストッパ９の凸状曲面の長手方向他端側が前記隣り合う２本の竿縁１１のうちの他方の竿縁１１の外縁に外側から当接（または近接）するような状態で配置されるようになる。
【００７２】
このようなことから、竿縁アダプタ５は、隣り合う２本の竿縁１１の間隔（各外縁間寸法）の大小に関係なく対応することができるようになっているので、汎用性に優れていると言える。
【００７３】
この他、仮に、竿縁天井１０において隣り合う２本の竿縁１１のいずれか一方が図１１の一点鎖線または二点鎖線で示すように若干斜めに傾いて施工されているような場合（説明の都合上、一方の竿縁１１の傾きを誇張して描いている。）において、第１、第２外ストッパ８，９の内側面を直線形状にしていると、前記傾いている竿縁１１に第１、第２外ストッパ８，９の一方が干渉することになってしまうために、竿縁アダプタ５を竿縁天井１０に設置できなくなる。
【００７４】
しかしながら、そのような場合でも、上記第１実施形態のように第１、第２外ストッパ８，９の内側面を凸状曲面にしていれば、当該凸状曲面の長手方向一端側または長手方向他端側が外側に向けて引っ込んでいるので、前記傾いている竿縁１１の外縁に第１、第２外ストッパ８，９の一方が干渉せずに済む。このように、上記竿縁アダプタ５は、隣り合う２本の竿縁１１の施工上の不具合を吸収することができるなど、使い勝手が優れている。
【００７５】
次に、支柱ユニット１を設置するときの作業形態を説明する。
【００７６】
まず、図８に示すように、支柱ユニット１を洋室の平坦天井３０と床面２０との間に設置する場合を説明する。ベース２を床面２０上の適宜位置に設置してから、天井当接部４に竿縁アダプタ５を取り付けない状態にする。そして、操作機構６をアンロック状態にして、下側大筒部３ａから上側小筒部３ｂを所定量引き上げることにより、天井当接部４の上面を平坦天井３０に面で当接させる。この後、操作機構６をロック状態にする。
【００７７】
続いて、図１、図６ならびに図７に示すように、支柱ユニット１を和室の竿縁天井１０と床面２０との間に設置する場合を説明する。
ベース２を床面２０上の適宜位置に設置してから、天井当接部４に竿縁アダプタ５を装着する。そして、操作機構６をアンロック状態にして、下側大筒部３ａから上側小筒部３ｂを所定量引き上げることにより、天井当接部４に装着している竿縁アダプタ５の長手方向を竿縁天井１０の隣り合う２本の竿縁１１に跨って直交するように交差させる姿勢にしてから、当該竿縁アダプタ５の２つの緩衝シート５ｄを前記隣り合う２本の竿縁１１の下端面にそれぞれ当接させる。
【００７８】
このとき、図６、図７に示すように、第１、第２外ストッパ８，９を隣り合う２本の竿縁１１の各外縁に外側から当接（または近接）する状態で配置させるようにする。
【００７９】
この後、操作機構６をロック状態にする。これにより、支柱ユニット１が竿縁天井１０と床面２０との間に突っ張った状態で強固に設置される。
【００８０】
このようにして、支柱ユニット１を設置すると、使用者が支柱３にもたれかかるなど何らかの原因により天井当接部４に竿縁１１に交差する向きの力が加わったときに、第１外ストッパ８または第２外ストッパ９が前記力を受け止めることになって、天井当接部４が前記隣り合う２本の竿縁１１の下端面からずれ動くことが防止される。その結果、天井当接部４の一端部が隣り合う２本の竿縁１１の間の天井板１２に衝突して天井板１２を破損するといった虞がなくなる。
【００８１】
以上説明したように本発明を適用した実施形態の支柱ユニット１は、天井当接部４に竿縁アダプタ５を装着するだけで、竿縁天井１０と床面２０との間に強固に設置することが可能になり、また、天井当接部４から竿縁アダプタ５を取り外せば、平坦天井３０と床面２０との間にも強固に設置することが可能になるなど、使い勝手が優れている。
【００８２】
特に、この実施形態では、帯状の天井当接部４の長手方向寸法を、隣り合う２本の竿縁１１に跨って交差するような長さに設定しているから、従来例で説明したように、隣り合う３つの竿縁に跨って交差するような長さに設定する場合に比べると、天井当接部４の製造コストならびに重量を軽減することが可能になる。
【００８３】
なお、本発明は、上記実施形態のみに限定されるものではなく、特許請求の範囲内および当該範囲と均等の範囲内で適宜に変更することが可能である。
【００８４】
（１）上記第１実施形態では、第１、第２外ストッパ８，９が一体に設けられた竿縁アダプタ５を天井当接部４に着脱可能にした例を挙げているが、本発明はこれのみに限定されるものではない。
【００８５】
前記した竿縁アダプタ５を用いずに、例えば図１２から図１７に示す第２実施形態のように、第１、第２外ストッパ８，９を天井当接部４の長手方向両端に一体に設けることも可能である。第１、第２外ストッパ８，９の形状や、それらの対向間隔については、上記実施形態と同様に設定される。
【００８６】
この場合、天井当接部４は竿縁天井１０と床面２０との間に設置するときの専用品とされるが、平坦天井３０と床面２０との間に設置する場合には、前記天井当接部４を、図１に示すように第１、第２外ストッパ８，９を設けていない天井当接部４に交換すればよい。
【００８７】
（２）本発明の第３実施形態を図１８に、また、本発明の第４実施形態を図１９にそれぞれ示している。第３実施形態では、図１に示す第１実施形態の支柱ユニット１に手摺りユニット７を追加している。第４実施形態では、図１２に示す第２実施形態の支柱ユニット１に手摺りユニット７を追加している。
【００８８】
手摺りユニット７は、手摺り支柱７ａ、上下３本の手摺りバー７ｂ，７ｃ，７ｄ、６個のジョイント７ｅなどを備えている。そして、ベース２には、支柱受け筒２ａの近傍に手摺り支柱受け筒２ｂを設けている。
【００８９】
手摺り支柱７ａ、手摺りバー７ｂ〜７ｄ、ジョイント７ｅは、例えばアルミニウムまたはアルミニウム合金製のパイプを半硬質樹脂などで被覆したもの、あるいは適宜のエンジニアリングプラスチックと呼ばれる高強度合成樹脂などを素材としたものとされる。
【００９０】
手摺り支柱７ａは、その下端部がベース２の手摺り支柱受け筒２ｂに挿入されることにより、支柱３と平行に離隔して配置されるようになる。
【００９１】
手摺りバー７ｂ〜７ｄは、支柱３と手摺り支柱７ａとに架け渡されるようにジョイント７ｅを介して取り付けられることによって、それぞれ上下方向に互いに平行に離隔した状態で配置される。
【００９２】
（３）上記第１〜第４実施形態では、隣り合う２つの竿縁１１の各外側に位置する第１、第２外ストッパ８，９を備えた例を挙げているが、本発明はこれのみに限定されるものではない。
【００９３】
本発明の第５実施形態を図２０に、また、本発明の第６実施形態を図２１にそれぞれ示している。
【００９４】
第５実施形態では、図１に示す第１実施形態の竿縁アダプタ５に、竿縁天井１０の隣り合う２つの竿縁１１の各内側に位置する第１、第２内ストッパ８，９を設けている。
【００９５】
第６実施形態では、図１２に示す第２実施形態の天井当接部４に、竿縁天井１０の隣り合う２つの竿縁１１の各内側に位置する第１、第２内ストッパ８，９を設けている。
【００９６】
なお、第１、第２内ストッパ８，９の外側面は、直線形状に形成されているが、内側面は凸状曲面に形成されている。
【００９７】
このような第５、第６実施形態でも上記各実施形態と同様、竿縁天井１０の隣り合う２本の竿縁１１の各外縁間寸法が５００ｍｍのタイプ（幅広な竿縁天井）であっても３００ｍｍのタイプ（幅狭な竿縁天井）であっても関係なく、対応することが可能になる。
【００９８】
そのためには、第１内ストッパ８の外側面と第２内ストッパ９の外側面との対向間隔について、前記幅広な竿縁天井１０での隣り合う２つの竿縁１１の各内縁間寸法と同一寸法、あるいは当該各内縁間寸法よりも小さく設定し、かつ、第１内ストッパ８の内側面の最大出っ張り位置（長手方向中央）と第２内ストッパ９の内側面の最大出っ張り位置（長手方向中央）との対向間隔について、前記幅狭な竿縁天井１０での隣り合う２つの竿縁１１の各外縁間寸法と同一寸法、あるいは当該各外縁間寸法よりも大きく設定する必要がある。
【００９９】
第５実施形態を例に挙げて説明する。まず、前記幅広な竿縁天井１０の場合、図２２に示すように、竿縁アダプタ５を取り付けた天井当接部４の長手方向を竿縁１１の長手方向と直交する方向に沿わせるようにして、竿縁アダプタ５を幅広な竿縁天井１０にあてがうと、第１、第２内ストッパ８，９の各外側面が前記隣り合う２本の竿縁１１の各内縁に内側から当接（または近接）する状態で配置されるようになる。
【０１００】
一方、前記幅狭な竿縁天井１０の場合、図２３に示すように、竿縁アダプタ５を取り付けた天井当接部４の長手方向を竿縁１１の長手方向に対して所定角度傾けて交差させるようにして、竿縁アダプタ５を幅狭な竿縁天井１０にあてがうと、第１内ストッパ８の内側面の凸状曲面の長手方向一端側が前記隣り合う２本の竿縁１１のうちの一方の竿縁１１の外縁に外側から当接（または近接）するような状態で配置されるようになる一方で、第２内ストッパ９の内側面の凸状曲面の長手方向他端側が前記隣り合う２本の竿縁１１のうちの他方の竿縁１１の外縁に外側から当接（または近接）するような状態で配置されるようになる。
【０１０１】
（４）本発明の第７実施形態を図２４に、また、本発明の第８実施形態を図２５にそれぞれ示している。
【０１０２】
第７実施形態では、図１に示す第１実施形態の竿縁アダプタ５に、竿縁天井１０の隣り合う２つの竿縁１１の各外側に位置する第１、第２外ストッパ８ａ，９ａと、竿縁天井１０の隣り合う２つの竿縁１１の各内側に位置する第１、第２内ストッパ８ｂ，９ｂと、を設けている。
【０１０３】
第８実施形態では、図１２に示す第２実施形態の天井当接部４に、竿縁天井１０の隣り合う２つの竿縁１１の各外側に位置する第１、第２外ストッパ８ａ，９ａと、竿縁天井１０の隣り合う２つの竿縁１１の各内側に位置する第１、第２内ストッパ８ｂ，９ｂと、を設けている。
【０１０４】
なお、第１、第２外ストッパ８ａ，９ａの外側面および内側面は共に直線形状に形成されている。第１、第２内ストッパ８ｂ，９ｂの外側面は直線形状に形成されているが、内側面は凸状曲面に形成されている。
【０１０５】
このような第７、第８実施形態でも上記各実施形態と同様、竿縁天井１０の隣り合う２本の竿縁１１の間隔が５００ｍｍのタイプ（幅広な竿縁天井）であっても３００ｍｍのタイプ（幅狭な竿縁天井）であっても関係なく、対応することが可能になる。
【０１０６】
そのためには、第１外ストッパ８ａの内側面と第２外ストッパ９ａの内側面との対向間隔について、前記幅広な竿縁天井１０での隣り合う２つの竿縁１１の各外縁間寸法と同一寸法、あるいは当該各外縁間寸法よりも若干（例えば３ｍｍ〜１０ｍｍ、好ましくは５ｍｍ）だけ大きく設定する必要がある。また、第１内ストッパ８ｂの外側面と第２内ストッパ９ｂの外側面との対向間隔について、前記幅広な竿縁天井１０での隣り合う２つの竿縁１１の各内縁間寸法と同一寸法、あるいは当該各内縁間寸法よりも小さく設定し、かつ、第１内ストッパ８ｂの内側面の最大出っ張り位置（長手方向中央）と第２内ストッパ９ｂの内側面の最大出っ張り位置（長手方向中央）との対向間隔について、前記幅狭な竿縁天井１０での隣り合う２つの竿縁１１の各外縁間寸法と同一寸法、あるいは当該各外縁間寸法よりも大きく設定する必要がある。
【０１０７】
第７実施形態を例に挙げて説明する。まず、幅広な竿縁天井１０の場合、図２６に示すように、竿縁アダプタ５を取り付けた天井当接部４の長手方向を竿縁１１の長手方向と直交する方向に沿わせるようにして、竿縁アダプタ５を幅広な竿縁天井１０にあてがうと、第１、第２外ストッパ８ａ，９ａの各内側面が前記隣り合う２本の竿縁１１の各外縁に外側から当接（または近接）する状態で配置されるようになる。
【０１０８】
一方、幅狭な竿縁天井１０では、図２７に示すように、竿縁アダプタ５を取り付けた天井当接部４の長手方向を竿縁１１の長手方向に対して所定角度傾けて交差させるようにして、竿縁アダプタ５を幅狭な竿縁天井１０にあてがうと、第１内ストッパ８ｂの凸状曲面の長手方向一端側が前記隣り合う２本の竿縁１１のうちの一方の竿縁１１の外縁に外側から当接（または近接）するような状態で配置されるようになる一方で、第２内ストッパ９ｂの凸状曲面の長手方向他端側が前記隣り合う２本の竿縁１１のうちの他方の竿縁１１の外縁に外側から当接（または近接）するような状態で配置されるようになる。
【０１０９】
（５）本発明の第９実施形態を図２８に、また、本発明の第１０実施形態を図２９にそれぞれ示している。
【０１１０】
第９実施形態では、図１に示す第１実施形態の竿縁アダプタ５に、幅広な竿縁天井専用の第１、第２外ストッパ８ａ，９ａおよび第１、第２内ストッパ８ｂ，９ｂと、幅狭な竿縁天井専用の第３、第４外ストッパ８ｃ，９ｃおよび第３、第４内ストッパ８ｄ，９ｄと設けている。
【０１１１】
第１０実施形態では、図１２に示す第２実施形態の天井当接部４に、幅広な竿縁天井専用の第１、第２外ストッパ８ａ，９ａおよび第１、第２内ストッパ８ｂ，９ｂと、幅狭な竿縁天井専用の第３、第４外ストッパ８ｃ，９ｃおよび第３、第４内ストッパ８ｄ，９ｄと設けている。
【０１１２】
なお、第１、第２、第３、第４外ストッパ８ａ，９ａ，８ｃ，９ｃおよび第１、第２、第３、第４内ストッパ８ｂ，９ｂ，８ｄ，９ｄの各外側面および各内側面は、すべて直線形状に形成されている。
【０１１３】
このような第９、第１０実施形態でも、竿縁天井１０の隣り合う２本の竿縁１１の間隔が５００ｍｍのタイプ（幅広な竿縁天井）であっても３００ｍｍのタイプ（幅狭な竿縁天井）であっても関係なく、対応することが可能になる。
【０１１４】
そのためには、（１）〜（４）の条件を特定する必要がある。（１）第１外ストッパ８ａの内側面と第２外ストッパ９ａの内側面との対向間隔について、前記幅広な竿縁天井１０での隣り合う２つの竿縁１１の各外縁間寸法と同一寸法、あるいは当該各外縁間寸法よりも若干（例えば３ｍｍ〜１０ｍｍ、好ましくは５ｍｍ）だけ大きく設定する。（２）第１内ストッパ８ｂの外側面と第２内ストッパ９ｂの外側面との対向間隔について、前記幅広な竿縁天井１０での隣り合う２つの竿縁１１の各内縁間寸法と同一寸法、あるいは当該各内縁間寸法よりも小さく設定し、かつ、第１内ストッパ８ｂの内側面と第２内ストッパ９ｂの内側面との対向間隔について、前記幅狭な竿縁天井１０での隣り合う２つの竿縁１１の各外縁間寸法と同一寸法、あるいは当該各外縁間寸法よりも大きく設定する。（３）第３外ストッパ８ｃの内側面と第４外ストッパ９ｃの内側面との対向間隔について、前記幅狭な竿縁天井１０での隣り合う２つの竿縁１１の各外縁間寸法と同一寸法、あるいは当該各外縁間寸法よりも若干（例えば３ｍｍ〜１０ｍｍ、好ましくは５ｍｍ）だけ大きく設定し、かつ、第３外ストッパ８ｃの外側面と第４外ストッパ９ｃの外側面との対向間隔について、第１内ストッパ８ｂの内側面と第２内ストッパ９ｂの内側面との対向間隔よりも小さく設定する。（４）第３内ストッパ８ｄの外側面と第４内ストッパ９ｄの外側面との対向間隔について、前記幅狭な竿縁天井１０での隣り合う２つの竿縁１１の各内縁間寸法と同一寸法、あるいは当該各内縁間寸法よりも小さく設定する。
【０１１５】
第９実施形態を例に挙げて説明する。まず、幅広な竿縁天井１０の場合、図３０に示すように、竿縁アダプタ５を取り付けた天井当接部４の長手方向を竿縁１１の長手方向と直交する方向に沿わせるようにして、竿縁アダプタ５を幅広な竿縁天井１０にあてがうと、第１、第２外ストッパ８ａ，９ａの各内側面が前記隣り合う２本の竿縁１１の各外縁に外側から当接（または近接）する状態で配置されるようになるとともに、第１、第２内ストッパ８ｂ，９ｂの各外側面が前記隣り合う２本の竿縁１１の各内縁に内側から当接（または近接）する状態で配置されるようになる。
【０１１６】
一方、幅狭な竿縁天井１０の場合、図３１に示すように、竿縁アダプタ５を取り付けた天井当接部４の長手方向を竿縁１１の長手方向と直交する方向に沿わせるようにして、竿縁アダプタ５を幅狭な竿縁天井１０にあてがうと、第３、第４外ストッパ８ｃ，９ｃの各内側面が前記隣り合う２本の竿縁１１の各外縁に外側から当接（または近接）する状態で配置されるようになるとともに、第３、第４内ストッパ８ｄ，９ｄの各外側面が前記隣り合う２本の竿縁１１の各内縁に内側から当接（または近接）する状態で配置されるようになる。
【０１１７】
（６）本発明の第１１実施形態を図３２に、また、本発明の第１２実施形態を図３３にそれぞれ示している。
【０１１８】
第１１実施形態では、図１に示す第１実施形態の竿縁アダプタ５に、幅広な竿縁天井専用の第１、第２外ストッパ８ａ，９ａと、幅狭な竿縁天井専用の第３、第４外ストッパ８ｃ，９ｃと設けている。
【０１１９】
第１２実施形態では、図１２に示す第２実施形態の天井当接部４に、幅広な竿縁天井専用の第１、第２外ストッパ８ａ，９ａと、幅狭な竿縁天井専用の第３、第４外ストッパ８ｃ，９ｃと設けている。
【０１２０】
なお、第１、第２、第３、第４外ストッパ８ａ，９ａ，８ｃ，９ｃの各外側面および各内側面は、すべて直線形状に形成されている。
【０１２１】
このような第１１、第１２実施形態でも、竿縁天井１０の隣り合う２本の竿縁１１の間隔が５００ｍｍのタイプ（幅広な竿縁天井）であっても３００ｍｍのタイプ（幅狭な竿縁天井）であっても関係なく、対応することが可能になる。
【０１２２】
そのためには、第１外ストッパ８ａの内側面と第２外ストッパ９ａの内側面との対向間隔について、前記幅広な竿縁天井１０での隣り合う２つの竿縁１１の各外縁間寸法と同一寸法、あるいは当該各外縁間寸法よりも若干（例えば３ｍｍ〜１０ｍｍ、好ましくは５ｍｍ）だけ大きく設定する必要がある。また、第３外ストッパ８ｃの内側面と第４外ストッパ９ｃの内側面との対向間隔について、前記幅狭な竿縁天井１０での隣り合う２つの竿縁１１の各外縁間寸法と同一寸法、あるいは当該各外縁間寸法よりも若干（例えば３ｍｍ〜１０ｍｍ、好ましくは５ｍｍ）だけ大きく設定する必要がある。
【０１２３】
第１１実施形態を例に挙げて説明する。まず、幅広な竿縁天井１０では、図３４に示すように、竿縁アダプタ５を取り付けた天井当接部４の長手方向を竿縁１１の長手方向と直交する方向に沿わせるようにして、竿縁アダプタ５を幅広な竿縁天井１０にあてがうと、第１、第２外ストッパ８ａ，９ａの各内側面が前記隣り合う２本の竿縁１１の各外縁に外側から当接（または近接）する状態で配置されるようになる。
【０１２４】
一方、幅狭な竿縁天井１０では、図３５に示すように、竿縁アダプタ５を取り付けた天井当接部４の長手方向を竿縁１１の長手方向と直交する方向に沿わせるようにして、竿縁アダプタ５を幅狭な竿縁天井１０にあてがうと、第３、第４外ストッパ８ｃ，９ｃの各内側面が前記隣り合う２本の竿縁１１の各外縁に外側から当接（または近接）する状態で配置されるようになる。
【０１２５】
（７）本発明の第１３実施形態を図３６に、また、本発明の第１４実施形態を図３７にそれぞれ示している。
【０１２６】
第１３実施形態では、図１に示す第１実施形態の竿縁アダプタ５に、幅広な竿縁天井専用の第１、第２内ストッパ８ｂ，９ｂと、幅狭な竿縁天井専用の第３、第４内ストッパ８ｄ，９ｄと設けている。第１４実施形態では、図１２に示す第２実施形態の天井当接部４に、幅広な竿縁天井専用の第１、第２内ストッパ８ｂ，９ｂと、幅狭な竿縁天井専用の第３、第４内ストッパ８ｄ，９ｄと設けている。
【０１２７】
なお、第１、第２、第３、第４内ストッパ８ｂ，９ｂ，８ｄ，９ｄの各外側面および各内側面は、すべて直線形状に形成されている。
【０１２８】
このような第１３、第１４実施形態でも、竿縁天井１０の隣り合う２本の竿縁１１の間隔が５００ｍｍのタイプ（幅広な竿縁天井）であっても３００ｍｍのタイプ（幅狭な竿縁天井）であっても関係なく、対応することが可能になる。
【０１２９】
そのためには、第１内ストッパ８ｂの外側面と第２内ストッパ９ｂの外側面との対向間隔について、前記幅広な竿縁天井１０での隣り合う２つの竿縁１１の各内縁間寸法と同一寸法、あるいは当該各内縁間寸法よりも小さく設定し、かつ、第１内ストッパ８ｂの内側面と第２内ストッパ９ｂの内側面との対向間隔について、前記幅狭な竿縁天井１０での隣り合う２つの竿縁１１の各外縁間寸法と同一寸法、あるいは当該各外縁間寸法よりも大きく設定する必要がある。また、第３内ストッパ８ｄの外側面と第４内ストッパ９ｄの外側面との対向間隔について、前記幅狭な竿縁天井１０での隣り合う２つの竿縁１１の各内縁間寸法と同一寸法、あるいは当該各内縁間寸法よりも小さく設定する必要がある。
【０１３０】
第１３実施形態を例に挙げて説明する。まず、幅広な竿縁天井１０の場合、図３８に示すように、竿縁アダプタ５を取り付けた天井当接部４の長手方向を竿縁１１の長手方向と直交する方向に沿わせるようにして、竿縁アダプタ５を幅広な竿縁天井１０にあてがうと、第１、第２内ストッパ８ｂ，９ｂの各外側面が前記隣り合う２本の竿縁１１の各内縁に内側から当接（または近接）する状態で配置されるようになる。
【０１３１】
一方、幅狭な竿縁天井１０の場合、図３９に示すように、竿縁アダプタ５を取り付けた天井当接部４の長手方向を竿縁１１の長手方向と直交する方向に沿わせるようにして、竿縁アダプタ５を幅狭な竿縁天井１０にあてがうと、第３、第４内ストッパ８ｄ，９ｄの各外側面が前記隣り合う２本の竿縁１１の各内縁に内側から当接（または近接）する状態で配置されるようになる。
【０１３２】
（８）上記各実施形態では、支柱ユニット１を家屋の部屋内に設置する例を挙げているが、本発明はこれのみに限定されるものではない。本発明に係る支柱ユニット１は、例えば家屋内部の廊下や家屋外部の渡り廊下のような天井と床面との間に設置することが可能である。
【０１３３】
（９）上記各実施形態では、天井当接部４の支柱挿入孔４ａの断面形状と上側小筒部３ｂの断面形状とを六角形にした例を挙げているが、本発明はこれのみに限定されるものではない。
【０１３４】
例えば支柱挿入孔４ａの断面形状を円形にしてその内周面に雌ねじを形成する一方で、上側小筒部３ｂの上端部の外周面に雄ねじを形成することが可能である。その場合には、３つの支柱挿入孔４ａのいずれか１つに上側小筒部３ｂの上端部を螺合すれば、それら両者の回り止めと分離防止とを図ることが可能になる。
【０１３５】
（１０）上記第２、第６、第８、第１０、第１２、第１４実施形態では、天井当接部４に外ストッパや内ストッパを一体に設けた例を挙げているが、本発明はこれのみに限定されるものではない。
【０１３６】
例えば天井当接部４に外ストッパや内ストッパを一体に設けずに別体に形成し、外ストッパや内ストッパを天井当接部４の適宜場所に取り外し可能に取り付けるように構成することも可能である。この場合、竿縁天井１０や平坦天井３０のどちらにも簡単に対応することが可能になるなど、使い勝手が優れたものとなる。
【産業上の利用可能性】
【０１３７】
本発明は、多数の竿縁が設けられた天井と床面との間に突っ張るように設置される支柱ユニットに好適に利用することが可能である。
【符号の説明】
【０１３８】
１    支柱ユニット
２    ベース
３    支柱
３ａ  下側大筒部
３ｂ  上側小筒部
４    天井当接部
４ａ  支柱入れ穴
４ｂ  リブ
４ｃ  肉盗み凹部
５    竿縁アダプタ
５ａ  底壁部
５ｄ  緩衝シート
５ｆ  突片
６    操作機構
８    第１ストッパ
９    第２ストッパ
１０    竿縁天井
１１  竿縁
１２  天井板
２０    床面
【図１】
0006294212.tif 000002
【図２】
0006294212.tif 000003
【図３】
0006294212.tif 000004
【図４】
0006294212.tif 000005
【図５】
0006294212.tif 000006
【図６】
0006294212.tif 000007
【図７】
0006294212.tif 000008
【図８】
0006294212.tif 000009
【図９】
0006294212.tif 000010
【図１０】
0006294212.tif 000011
【図１１】
0006294212.tif 000012
【図１２】
0006294212.tif 000013
【図１３】
0006294212.tif 000014
【図１４】
0006294212.tif 000015
【図１５】
0006294212.tif 000016
【図１６】
0006294212.tif 000017
【図１７】
0006294212.tif 000018
【図１８】
0006294212.tif 000019
【図１９】
0006294212.tif 000020
【図２０】
0006294212.tif 000021
【図２１】
0006294212.tif 000022
【図２２】
0006294212.tif 000023
【図２３】
0006294212.tif 000024
【図２４】
0006294212.tif 000025
【図２５】
0006294212.tif 000026
【図２６】
0006294212.tif 000027
【図２７】
0006294212.tif 000028
【図２８】
0006294212.tif 000029
【図２９】
0006294212.tif 000030
【図３０】
0006294212.tif 000031
【図３１】
0006294212.tif 000032
【図３２】
0006294212.tif 000033
【図３３】
0006294212.tif 000034
【図３４】
0006294212.tif 000035
【図３５】
0006294212.tif 000036
【図３６】
0006294212.tif 000037
【図３７】
0006294212.tif 000038
【図３８】
0006294212.tif 000039
【図３９】
0006294212.tif 000040
【図４０】
0006294212.tif 000041